(57)【要約】【課題】乾電池を極力使用しない方式を踏襲しつつ、複雑な電圧残量表示機能を装填せずとも、使用期間の指標を明瞭に設定できる、一層有用かつ実用的な薬剤揮散装置の提供。【課題の解決手段】装着された薬剤含浸体からファンの風力により薬剤を揮散させる薬剤揮散装置において、ファンを駆動するモーターの作動用電源として蓄電池を備え、この蓄電池のフル充電状態を使用開始時点に設定するとともに、この時点からモーターの回転停止までの期間を前記薬剤含浸体の使用期間に対応させた薬剤揮散装置。【選択図】図２
2005218335.tif 000002
【特許請求の範囲】
【請求項１】
装着された薬剤含浸体からファンの風力により薬剤を揮散させる薬剤揮散装置において、ファンを駆動するモーターの作動用電源として蓄電池を備え、この蓄電池のフル充電状態を使用開始時点に設定するとともに、この時点からモーターの回転停止までの期間を前記薬剤含浸体の使用期間に対応させたことを特徴とする薬剤揮散装置。
【請求項２】
蓄電池のフル充電状態を示す表示具を備えたことを特徴とする請求項１に記載の薬剤揮散装置。
【請求項３】
モーターとともに薬剤含浸体を回転せしめ、ファンの風力と遠心力により薬剤を揮散させるとともに、薬剤含浸体の回転停止によってモーターの回転停止を明瞭に認知可能に構成したことを特徴とする請求項１又は２に記載の薬剤揮散装置。
【発明の詳細な説明】
【技術分野】
【０００１】
本発明は、蓄電池を用いたファン式の薬剤揮散装置に関するものである。
【背景技術】
【０００２】
従来より殺虫等の目的で種々の薬剤揮散装置が開発されているが、これには、常温でファンなどの風力により薬剤を揮散させる方式と、加熱して薬剤を蒸散させる方式がある。前者は乾電池を電源とする携帯用が主体で、一方、後者の蚊取線香、電気蚊取マット、液体蚊取のうち、電気蚊取マットと液体蚊取は交流電源を使用し室内の蚊防除用として愛用されている。なお、電気蚊取マットは、殺虫成分を含浸させた繊維質製マットを、該マットと略同形状の放熱板上に載置し、通電により加熱（放熱板の中心部の温度は１４０〜１８０℃）して殺虫成分を蒸散させるもので、一方、薬液ボトル中に吸液芯を浸漬し、芯上部を加熱して薬液を加熱蒸散させる液体蚊取の場合、芯上部を間接加熱する構成のため発熱体の温度は電気蚊取マットに比べて若干低くなっている。
【０００３】
ところで、常温でファンなどの風力により薬剤を揮散させる方式においては、電源として乾電池が主に使用されているが、これには以下のような問題点がある。
１）乾電池は主に地下埋蔵資源に由来するエネルギー源で、将来的にその枯渇が懸念されている。
２）使用済乾電池の廃棄に注意を要しコストがかかる。
３）多くの種類の乾電池が市販され、その寿命もまちまちなので、薬剤揮散装置に用いた場合、乾電池の寿命をもって特定の使用期間の指標にすることは難しい。
４）乾電池の使用終期においては電圧降下に伴うモーターの回転速度の低下が緩やかで、モーターの回転状況を使用終点の指標に用いることは難しい。
【０００４】
本発明者らは、乾電池が有する問題点を解消するために、エネルギー源としての太陽電池と供給電力を蓄電するための蓄電池を備えた薬剤揮散装置の開発を進め、先に特許（特願２００３−２７１９０５）を出願した。前記出願特許に係る薬剤揮散装置は、太陽電池から供給された電力を蓄電池に蓄電して使用するので、ランニングコストが安く非常に経済的で極めて有用なものであるが、太陽光からの供給電力が安定でないため、上記３）及び４）に関する使用期間の指標の点については、例えば電圧残量表示機能の装填を前提とし、簡便性に欠けるものであった。
【特許文献１】特願２００３−２７１９０５
【発明の開示】
【発明が解決しようとする課題】
【０００５】
本発明は、乾電池を極力使用しない方式を踏襲しつつ、複雑な電圧残量表示機能を装填せずとも、使用期間の指標を明瞭に設定できる、一層有用かつ実用的な薬剤揮散装置を提供することを目的とする。
【課題を解決するための手段】
【０００６】
上記課題を解決するために、本発明の太陽電池を用いた薬剤揮散装置は、次のような構成を採用する。
（１）装着された薬剤含浸体からファンの風力により薬剤を揮散させる薬剤揮散装置において、ファンを駆動するモーターの作動用電源として蓄電池を備え、この蓄電池のフル充電状態を使用開始時点に設定するとともに、この時点からモーターの回転停止までの期間を前記薬剤含浸体の使用期間に対応させた薬剤揮散装置。
（２）蓄電池のフル充電状態を示す表示具を備えた（１）に記載の薬剤揮散装置。
（３）モーターとともに薬剤含浸体を回転せしめ、ファンの風力と遠心力により薬剤を揮散させるとともに、薬剤含浸体の回転停止によってモーターの回転停止を明瞭に認知可能に構成した（１）又は（２）に記載の薬剤揮散装置。
【発明の効果】
【０００７】
本発明の薬剤揮散装置は、乾電池を使用せず半永久的に再使用可能な蓄電池を利用するので環境保全の点でメリットが大きい。しかも、薬剤揮散装置に適用された蓄電池は、乾電池と異なり、使用終期においてシャープなモーターの回転停止を伴うので、使用期間の簡便な指標方式を提供することが可能となり、害虫防除用、あるいは消臭用、芳香用など種々の用途で極めて実用性が高い。
【発明を実施するための最良の形態】
【０００８】
本発明の薬剤揮散装置は、装着された薬剤含浸体からファンの風力により薬剤を揮散させる装置で、ファンを駆動するモーターの作動用電源として蓄電池を装置器体に備える。
蓄電池の種類としては、例えばＮｉバッテリー、Ｎｉ−Ｃｄバッテリー、Ｎｉ−ＭＨバッテリーなどがあげられるが、蓄電性能に支障をきたさない限りこれらに限定されない。また、蓄電池の容量としては、電圧が１．０〜６．０Ｖで、蓄電量が５０ｍＡｈ〜１２０００ｍＡｈのものが用いられる。なお、携帯性を考慮した場合、単一型で１本、単二型で１〜２本、単三型で１〜３本、単四型であれば１〜４本が、大きさ、重量の面から好適であり、なかでも電圧が１．２〜４．８Ｖで、蓄電量が１００ｍＡｈ〜６０００ｍＡｈの範囲が好ましい。特に、単二型もしくは単三型１本（１．２Ｖ）を用いて薬剤含浸体の使用期間８０〜１２０時間に、また、単二型もしくは単三型２本（２．４Ｖ）を用いて薬剤含浸体の使用期間１５０〜２４０時間程度に対応させたものが使いやすい。
【０００９】
本発明は、蓄電池が使用終期においてシャープな電圧降下とモーターの回転停止を伴うという特性を利用し、使用期間の簡便な指標方式を提供することを特徴とする。このため、本薬剤揮散装置の使用に先立ち蓄電池を満杯まで充電し、フル充電状態を使用開始時点に設定する必要があり、このフル充電状態を示すランプ等の表示具を備えるのが好ましい。
蓄電池の充電方式は特に限定されず、例えばＡＣアダプターを介するようにしてもよいし、あるいは充電ホルダーに装填するようにしても構わない。
【００１０】
本発明で用いられる薬剤含浸体としては、平均外径が２ｍｍ〜１０ｍｍの粒状もしくは略粒状の紙、パルプ、セルロース系含浸担体、あるいは２，４，６−トリイソプロピル−１，３，５−トリオキサン、トリシクロドデカンなどの昇華性含浸担体を通気部を有するドーナツ状カートリッジに収納したものや、ハニカム状に形成した紙、パルプ、セルロース系含浸シートなどがあげられる。
含浸担体を収納したカートリッジは、そのまま静止状態でファンからの風力を当ててもよいが、カートリッジをも回転させるようにすれば含浸担体に遠心力が付与されより効率的な揮散性能を奏しえる。更に、モーターの回転停止は外部から見えにくい場合が多いが、モーターに連動するカートリッジの回転停止は明瞭に認知可能なので、使用期間の指標方式の点においても有用である。
なお、カートリッジの材質はポリエステルなどの薬剤非吸着性のものが好ましく、また成型性や揮散性能の点からファンをドーナツ状カートリッジの内側に一体的に形成するのがよい。
【００１１】
ファン方式の薬剤含浸体に配合される薬剤としては、揮散性の高いピレスロイド殺虫剤、殺ダニ剤、忌避剤、防虫香料（ヒノキチオール、カルボン、サフロール、シトロネラール、ケイ皮アルデヒドなど）、イソシアン酸アリルなどの抗菌剤、消臭剤、芳香剤などがあげられる。薬剤の含浸に際しては、必要に応じ溶剤、希釈剤、界面活性剤、分散剤、安定剤、徐放化剤、帯電防止剤などを適宜配合してもよい。
【００１２】
なお、上述のピレスロイド殺虫剤は、２５℃における蒸気圧が１〜５０ｍＰａのシクロプロパンカルボン酸エステル系ピレスロイド殺虫剤が好ましく、かかるピレスロイド殺虫剤としては、例えば、一般式（Ｉ）
【化１】
2005218335.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物を例示することができる。
【００１３】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−２，２−ジメチル−３−（２−クロロ−２−トリフルオロメチルビニル）シクロプロパンカルボキシレート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−クリサンテマート（以後、化合物Ｉと称す）、又は４−プロパルギル−２，３，５，６−テトラフルオロベンジル−２，２−ジメチル−３−（１−プロペニル）シクロプロパンカルボキシレート（以後、化合物Ｊと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
前記ピレスロイド殺虫剤の配合量は、薬剤含浸体１個あたり３０ｍｇ以上で、１時間あたりの殺虫剤揮散量を０．０５〜１．０ｍｇとし、延べ８０時間以上殺虫効力を持続するように設計するのが適当である。
【００１４】
本発明の薬剤揮散装置には、一定容量以上の充電を抑制するための過充電防止装置、更に一定容量以上の放電を制御するための過放電防止装置などを配設するのが好ましい。
なお、電力供給が不足を生じない限り種々の付加機能を装填することができ、例えば、ＣＰＵ（中央処理装置）を内蔵し、薬剤残量表示機能や、蓄電池の電圧残量表示機能を備えたり、あるいは光センサーが使用環境の照度を認識してモーターを動作させる機能や、これらが動作中であることを表示するＬＥＤランプなどを装填してもよい。但し、必要以上に装置を複雑化させるのが好ましくないことはもちろんである。
【００１５】
こうして得られた本発明の薬剤揮散装置は、薬剤の揮散性能にすぐれるのはもちろん、乾電池を用いず蓄電池のみで作動させるので環境保全の点でメリットが大きい。しかも、薬剤揮散装置に適用された蓄電池は、乾電池と異なり、使用終期においてシャープなモーターの回転停止を伴うので、使用期間の簡便な指標方式を提供することが可能となる。
そして、揮散性薬剤として殺虫剤を用いた場合、室内はもとより、キャンプのテント内や車内、犬小屋、携帯用として、ハエ、ゴキブリ、屋内塵性ダニ類などの衛生害虫や、蚋、ユスリカなどに対して優れた防除効果を奏し、その他誘虫灯やライトトラップなどにも適用可能である。更に、芳香剤を用いる消臭用、芳香用分野においても、同様に極めて実用的でかつ有用性が高い。
【００１６】
次に、具体的実施例に基づいて、本発明の薬剤揮散装置を更に詳細に説明する。
【実施例１】
【００１７】
図１は、本発明の薬剤揮散装置１の一実施例の斜視図を、また図２は、その中央断面図を示す。
平均外径が約３ｍｍのセルロース系担体２［製品名：ビスコパール（レンゴー株式会社製）］１．２ｇに、化合物Ｈ（２５℃における蒸気圧：１．９ｍＰａ）７０ｍｇを含む灯油溶液を含浸させ、シロッコファン３と一体化させた通気性カートリッジ４に収納して、２４０時間用の薬剤含浸体を調製した。モーター（５）作動用電源として２．４Ｖ（単二型１．２Ｖを２本）のＮｉ−Ｃｄ蓄電池６を搭載し、また過充電防止装置（図示せず）を内蔵した。なお、モーター（５）の無負荷時の回転数は１４００回転／分で、その時の定常作動電流は５ｍＡであった。
前記通気性カートリッジ４を装置器体に装填し、シロッコファン３による風力とカートリッジ４自体の回転による遠心力の作用で薬剤を揮散させるタイプの本発明の薬剤揮散装置１を得た。なお、図中、７は電源スイッチ、８は蓄電池６のフル充電状態を示すＬＥＤランプ、９は揮散口を示す。
【００１８】
この薬剤揮散装置１を充電ホルダーに装填して蓄電池６を満杯まで充電したところ、フル充電状態を示すＬＥＤランプ８が点灯した。この時点を使用開始時点とし、その後、６畳の部屋で８時間使用を３０日間にわたり繰り返した。３０日後、カートリッジ４の回転が停止し、薬剤含浸体の使用期間の終了を明瞭に認知することができ、その間、蚊などの害虫に悩まされることはなかった。本薬剤揮散装置１は、カートリッジ４の装填と蓄電池６の充電操作を再度行えば、何回でも２４０時間使用を繰り返すことができ、極めて実用的かつ経済的でしかも利便性の高いものであった。
【実施例２】
【００１９】
図３は本発明の他の実施例の薬剤揮散装置２１の中央断面図を示す。
直径約７ｃｍ、厚さ約１ｃｍのハニカム状セルロース系担体２２に、抗菌剤・イソシアン酸アリル１．０ｇとリラックスグリーン系香料（青葉アルコール、青葉アルデヒド配合）１．０ｇを含むエタノール溶液を含浸させ、１５０時間用の薬剤含浸体を調製した。装置内に、シロッコファン２３と、モーター（２４）と、３．６Ｖ（単三型１．２Ｖを３本）のＮｉ−ＭＨ蓄電池２５を内蔵した。なお、モーター（２４）の無負荷時の回転数は１８００回転／分で、その時の定常作動電流は６ｍＡであり、回転状態が外部から見えるように透明プラスチック窓を設けた。得られた本発明の薬剤揮散装置２１は、シロッコファン２３による風力で薬剤を揮散させるタイプで、図中、２６は電源スイッチ、２７は蓄電池２５のフル充電状態を示すＬＥＤランプ、２８は揮散口を示す。
【００２０】
この薬剤揮散装置２１の蓄電池２５をＡＣアダプターを用いて満杯まで充電したところ、フル充電状態を示すＬＥＤランプ２７が点灯した。この時点を使用開始時点とし、本薬剤揮散装置２１を車の後部ウインドウの隅に取り付けて、車を運転中作動させた。車内では常に除菌・消臭効果と緑の香料によるリラックス効果が漂い、およそ１５０時間後、モーター（２４）の回転が停止して薬剤含浸体の使用期間の終了を認知することができた。また、薬剤含浸体の装填と蓄電池２５の充電操作を何回でも繰り返すことができるため経済的であり、しかも乾電池の廃棄上の問題に煩わされないことから、極めて有用かつ実用的であった。
【図面の簡単な説明】
【００２１】
【図１】本発明の薬剤揮散装置の一実施例の斜視図を示す。
【図２】その中央断面図を示す。
【図３】本発明の他の実施例の薬剤揮散装置の中央断面図を示す。
【符号の説明】
【００２２】
１：薬剤揮散装置
２：セルロース系担体
３： シロッコファン
４：通気性カートリッジ
５：モーター
６：Ｎｉ−Ｃｄ蓄電池
７：電源スイッチ
８：ＬＥＤランプ 
９：揮散口
２１：薬剤揮散装置
２２：セルロース系担体
２３：シロッコファン 
２４：モーター
２５：Ｎｉ−ＭＨ蓄電池
２６：電源スイッチ
２７：ＬＥＤランプ 
２８：揮散口
【図１】
2005218335.tif 000004
【図２】
2005218335.tif 000005
【図３】
2005218335.tif 000006